(57)【要約】【課題】輸出規制の対象となる複数拠点における設計情報の共有を効率的に実現する。【解決手段】検索用情報管理サーバ１は、設計情報取得部１１と、記憶部１２と、検索条件情報取得部１３と、設計情報検索部１４と、を備える。設計情報取得部１１は、互いに輸出規制の対象となる複数の拠点から、設計対象の物品の形状を検索するための検索用データを含む設計情報を取得する。記憶部１２は、設計情報取得部１１が取得した設計情報を格納する。検索条件情報取得部１３は、形状を表す検索条件を含む検索条件情報を取得する。設計情報検索部１４は、検索条件情報取得部１３が取得した検索条件情報に含まれる検索条件を満たす物品の設計情報を、形状検索によって記憶部１２から検索する。【選択図】図２
2020091594.tif 000002
【特許請求の範囲】
【請求項１】
互いに輸出規制の対象となる複数の拠点から、設計対象の物品の形状を検索するための検索用データを含む設計情報を取得する設計情報取得手段と、
前記設計情報取得手段が取得した前記設計情報を格納する記憶手段と、
形状を表す検索条件を含む検索条件情報を取得する検索条件情報取得手段と、
前記検索条件情報取得手段が取得した前記検索条件情報に含まれる前記検索条件を満たす物品の設計情報を、形状検索によって前記記憶手段から検索する設計情報検索手段と、を備える、
設計情報検索装置。
【請求項２】
前記設計情報取得手段は、輸出規制の対象とならない項目として予め選択された文字情報をさらに含む設計情報を取得し、
前記検索条件情報取得手段は、キーワードを表す検索条件をさらに含む検索条件情報を取得し、
前記設計情報検索手段は、前記検索条件を満たす物品の設計情報を、前記文字情報に対するキーワード検索によって前記記憶手段から検索する、
請求項１に記載の設計情報検索装置。
【請求項３】
前記設計情報検索手段は、前記設計情報から前記検索条件を満たす物品が、検索要求を行った拠点に対して輸出管理の手続き済みの物品であるか否かを判定し、輸出管理の手続き済みの物品であると判定した場合には、前記検索条件を満たす物品の形状を隠したデータを生成する指示を表す指示情報を生成する、
請求項１または２に記載の設計情報検索装置。
【請求項４】
前記設計情報検索手段は、前記検索条件を満たす物品が前記物品を構成する構成物品を含む場合には、前記構成物品が検索要求を行った拠点に対して輸出管理の手続き済みの物品であるか否かを判定し、輸出管理の手続き済みの物品であると判定した場合には、前記検索条件を満たす物品のうち、前記構成物品の形状を隠したデータを生成する指示を表す指示情報を生成する、
請求項３に記載の設計情報検索装置。
【請求項５】
前記設計情報取得手段は、物品の形状を特定できない粗さの画質であるサムネイル画像をさらに含む設計情報を取得し、
前記設計情報検索手段は、前記設計情報から前記検索条件を満たす物品が、検索要求を行った拠点に対して輸出管理の手続き済みの物品であるか否かを判定し、輸出管理の手続き済みの物品であると判定した場合には、前記サムネイル画像を含む検索結果一覧の画面情報を生成する、
請求項１から４のいずれか１項に記載の設計情報検索装置。
【請求項６】
設計対象の物品の形状を検索するための検索用データを含む設計情報を取得する設計情報取得ステップと、
形状を表す検索条件を含む検索条件情報を取得する検索条件情報取得ステップと、
前記検索条件情報取得ステップで取得した前記検索条件情報に含まれる前記検索条件を満たす物品の設計情報を、形状検索によって検索する設計情報検索ステップと、を備える、
設計情報検索方法。
【請求項７】
コンピュータに、
設計対象の物品の形状を検索するための検索用データを含む設計情報を取得する設計情報取得ステップと、
形状を表す検索条件を含む検索条件情報を取得する検索条件情報取得ステップと、
前記検索条件情報取得ステップで取得した前記検索条件情報に含まれる前記検索条件を満たす物品の設計情報を、形状検索によって検索する設計情報検索ステップと、
を実行させるためのプログラム。
【発明の詳細な説明】
【技術分野】
【０００１】
本発明は、設計情報検索装置、設計情報検索方法およびプログラムに関する。
【背景技術】
【０００２】
グローバル化に伴って開発拠点の国外進出が進み、設計情報が国内および海外の複数拠点に分散するようになっている。複数拠点による共同開発、他拠点の設計の流用等を実現するためには、設計情報の共有が必要となる一方で、拠点を跨がって設計情報を共有するためには、輸出管理の手続きが必要となる。
【０００３】
このような状況で、輸出管理の手続きが必要な設計情報の漏洩を防止するシステムが提案されている。例えば特許文献１は、設計情報を閲覧しようとしている国、装置端末、人等を特定することによって、輸出規制の対象となる情報の漏洩を防止するための図面管理システムを開示している。
【先行技術文献】
【特許文献】
【０００４】
【特許文献１】特開２００７−１２２３０７号公報
【発明の概要】
【発明が解決しようとする課題】
【０００５】
特許文献１に開示されている技術を適用しても、輸出規制の対象となる他の拠点の設計情報のうち、輸出管理の手続きを行っていない設計情報を閲覧することはできず、どのような設計情報があるのかを把握することも困難である。したがって、複数拠点における設計情報の共有を効率的に実現できていないという問題がある。
【０００６】
本発明は、上記実情に鑑みてなされたものであり、輸出規制の対象となる複数拠点における設計情報の共有を効率的に実現することを目的とする。
【課題を解決するための手段】
【０００７】
上記目的を達成するため、本発明の設計情報検索装置は、設計情報取得手段と、記憶手段と、検索条件情報取得手段と、設計情報検索手段と、を備える。設計情報取得手段は、互いに輸出規制の対象となる複数の拠点から、設計対象の物品の形状を検索するための検索用データを含む設計情報を取得する。記憶手段は、設計情報取得手段が取得した設計情報を格納する。検索条件情報取得手段は、形状を表す検索条件を含む検索条件情報を取得する。設計情報検索手段は、検索条件情報取得手段が取得した検索条件情報に含まれる検索条件を満たす物品の設計情報を、形状検索によって記憶手段から検索する。
【発明の効果】
【０００８】
本発明によれば、互いに輸出規制の対象となる複数の拠点から、設計対象の物品の形状を検索するための検索用データを含む設計情報を取得することによって、輸出規制の対象となる複数拠点における設計情報の共有を効率的に実現することができる。
【図面の簡単な説明】
【０００９】
【図１】本発明の実施の形態に係る検索用情報管理サーバの概略図
【図２】本発明の実施の形態に係る検索用情報管理サーバの機能ブロック図
【図３】本発明の実施の形態に係る検索用情報管理サーバのハードウェア構成の一例を表す図
【図４】（ａ）本発明の実施の形態に係るＡ拠点の設計情報マスタデータの一例を表す図、（ｂ）本発明の実施の形態に係るＢ拠点の設計情報マスタデータの一例を表す図、（ｃ）本発明の実施の形態に係るＣ拠点の設計情報マスタデータの一例を表す図
【図５】本発明の実施の形態に係る検索用情報管理サーバのシーケンス図
【図６】本発明の実施の形態に係るサムネイル画像の画像処理の一例を表す図
【図７】本発明の実施の形態に係る検索用設計情報マスタデータの一例を表す図
【図８】本発明の実施の形態に係る検索条件入力画面の一例を表す図
【図９】本発明の実施の形態に係る設計情報検索処理のフローチャート
【図１０】本発明の実施の形態に係る検索結果一覧画面の一例を表す図
【図１１】本発明の実施の形態に係る３Ｄ−ＣＡＤデータのマスク処理の一例を表す図
【発明を実施するための形態】
【００１０】
（実施の形態）
以下、本発明に係る設計情報検索装置を、検索用情報管理サーバに適用した実施の形態について、図面を参照して説明する。
【００１１】
本実施の形態に係る検索用情報管理サーバ１は、各拠点の設計情報管理サーバおよび操作端末と通信可能に接続されている。具体的には、図１に示すように、Ａ拠点２に設置されているＡ拠点設計情報管理サーバ２１およびＡ拠点操作端末２２と、Ｂ拠点３に設置されているＢ拠点設計情報管理サーバ３１およびＢ拠点操作端末３２と、Ｃ拠点４に設置されているＣ拠点設計情報管理サーバ４１およびＣ拠点操作端末４２と、それぞれ接続されている。各拠点、すなわちＡ拠点２、Ｂ拠点３およびＣ拠点４は、互いに輸出規制の対象となる国または地域であり、例えば、Ａ拠点２はアメリカ合衆国、Ｂ拠点３は日本、Ｃ拠点４は中華人民共和国である。
【００１２】
検索用情報管理サーバ１は、Ａ拠点２、Ｂ拠点３およびＣ拠点４のいずれにも属さない場所にある。したがって、各拠点と検索用情報管理サーバ１との間における情報の共有も、輸出規制の対象となる行為である。
【００１３】
各拠点の設計情報管理サーバ、すなわち、Ａ拠点設計情報管理サーバ２１、Ｂ拠点設計情報管理サーバ３１およびＣ拠点設計情報管理サーバ４１は、各拠点の設計情報を管理するためのサーバである。設計情報とは、形状のある物品を製造するための設計情報であり、本実施の形態においては、製造する物品を構成する部品の設計情報である。
【００１４】
各拠点の操作端末、すなわち、Ａ拠点操作端末２２、Ｂ拠点操作端末３２およびＣ拠点操作端末４２は、各拠点に所属する設計の担当者が操作する端末であって、検索用情報管理サーバ１にアクセスすることができる端末である。
【００１５】
検索用情報管理サーバ１は、図２に示すように、設計情報を取得する設計情報取得部１１と、各種情報を格納する記憶部１２と、検索条件情報を取得する検索条件情報取得部１３と、設計情報を検索する設計情報検索部１４と、を備える。
【００１６】
設計情報取得部１１は、各拠点の設計情報管理サーバから設計情報を取得する。ここで、前述の通り、検索用情報管理サーバ１と各拠点との間の設計情報の共有は、輸出規制の対象となる行為である。したがって、設計情報取得部１１は、輸出管理の手続きが完了していない設計情報を各拠点の設計情報管理サーバからそのまま取得することはできない。そこで、設計情報取得部１１は、各拠点の設計情報管理サーバに格納された設計情報のうち、輸出規制の対象とならない情報を取得する。具体的には、設計情報取得部１１は、輸出規制の対象とならない情報として、検索用データおよび文字情報を取得する。検索用データは、３Ｄ−ＣＡＤ（Computer Aided Design）データ、図面データ等の部品の形状を表すデータから、形状を検索するための検索用データに変換されたデータである。検索用データは、例えば、検索用情報管理サーバ１にインストールされた検索用ソフトウェア専用のデータ形式となっている。
【００１７】
３Ｄ−ＣＡＤデータは、部品の３次元形状を表すデータであって、対応するソフトウェアを使用すると、部品を自由に回転させてさまざまな角度から見た部品の形状を表示する３Ｄビューでの閲覧ができるデータである。図面データは部品の３次元形状を製図法にしたがって２次元平面で表現された図面をデータ化したものである。
【００１８】
また、設計情報取得部１１は、輸出規制の対象とならない文字情報として予め選択されたキーワードを含む設計情報を取得する。輸出規制の対象とならない文字情報とは、例えば、部品名、型名、スペック、設計者名等である。また、部品の属性、配置、部品間の関連、品目等の情報は、輸出規制の対象となる可能性があるため、これらの情報のうち、あらかじめ輸出規制の対象とならない情報として選択された情報についてのみ、設計情報取得部１１によって取得される。
【００１９】
さらに、設計情報取得部１１は、３Ｄ−ＣＡＤデータ、図面データ等の形状を表すデータから生成されたサムネイル画像を取得する。サムネイル画像は、特定の視点から見た物品の形状を表す画像であって、３次元の形状情報を持たないため、３Ｄビューとして部品を回転して表示することができないデータである。
【００２０】
記憶部１２は、設計情報取得部１１が取得した設計情報を格納する。また、記憶部１２には、前述の検索用ソフトウェアも含む、検索用情報管理サーバ１が実行する各種プログラムが格納される。
【００２１】
検索条件情報取得部１３は、各拠点の操作端末に入力された検索条件情報を取得する。検索条件には、キーワード検索のためのキーワード、形状検索のためスケッチデータまたは３Ｄモデル等が含まれる。
【００２２】
設計情報検索部１４は、検索条件情報取得部１３が取得した検索条件を満たす設計情報を記憶部１２から検索する。設計情報検索部１４は、キーワードを指定したキーワード検索と、スケッチデータ、３Ｄモデル等を指定した形状検索と、を実行する。
【００２３】
次に、検索用情報管理サーバ１のハードウェア構成について、図３を参照して説明する。検索用情報管理サーバ１は、各種の処理を実行するＣＰＵ（Central Processing Unit）１０１と、揮発性メモリであるＲＡＭ（Random Access Memory）１０２と、不揮発性メモリであるＲＯＭ（Read Only Memory）１０３と、各種情報を記憶するハードディスクドライブ１０４と、情報を送受信するネットワークカード１０５と、を備える。
【００２４】
ＣＰＵ１０１は、ハードディスクドライブ１０４に記憶されているプログラムをＲＡＭ１０２に読み出して実行することにより、後述する各種処理を実行する。
【００２５】
ＲＡＭ１０２は、揮発性メモリであり、ＣＰＵ１０１の作業領域として用いられる。
【００２６】
ＲＯＭ１０３は、不揮発性メモリであり、検索用情報管理サーバ１の基本動作のためにＣＰＵ１０１が実行する制御プログラム、ＢＩＯＳ（Basic Input Output System）等を記憶する。
【００２７】
ＣＰＵ１０１、ＲＡＭ１０２およびＲＯＭ１０３は、協働して、前述の設計情報検索部１４として機能する。
【００２８】
ハードディスクドライブ１０４は、情報を記憶する媒体であり、前述の検索用データ、キーワード、サムネイル画像等を含む設計情報、各種処理をＣＰＵ１０１に実行させるためのプログラム等が格納される。ハードディスクドライブ１０４は、前述の記憶部１２として機能する。
【００２９】
ネットワークカード１０５は、外部機器と情報を通信する通信装置であり、各拠点の設計情報管理サーバおよび操作端末と通信可能に接続されている。ＣＰＵ１０１およびネットワークカード１０５は、協働して、前述の設計情報取得部１１および検索条件情報取得部１３として機能する。
【００３０】
次に、検索用情報管理サーバ１の動作について、図面を参照して説明する。前提として、Ａ拠点に所属する設計の担当者が、Ｃ拠点を含めた各拠点の設計情報を流用する場面を想定して説明する。
【００３１】
各拠点の設計情報管理サーバには、各拠点において設計された設計情報が格納されている。具体的には、Ａ拠点設計情報管理サーバ２１には、Ａ拠点において作成された３Ｄ−ＣＡＤデータおよび図面データが格納され、さらに、図４（ａ）に示すような設計情報マスタデータが格納されている。同様に、Ｂ拠点設計情報管理サーバ３１には、Ｂ拠点において作成された３Ｄ−ＣＡＤデータおよび図面データとともに、図４（ｂ）に示すような設計情報マスタデータが格納され、Ｃ拠点設計情報管理サーバ４１には、Ｃ拠点において作成された３Ｄ−ＣＡＤデータおよび図面データとともに、図４（ｃ）に示すような設計情報マスタデータが格納されている。
【００３２】
設計情報マスタデータには、部品を識別するための部品番号、部品の名称を表す部品名、３Ｄ−ＣＡＤデータのファイル名、図面データのファイル名、他拠点の輸出管理の手続き状況、複数の部品を組み合わせた部品の場合の構成部品の部品番号などの情報が含まれる。
【００３３】
検索用情報管理サーバ１の設計情報取得部１１は、夜間に自動起動する設定をされたバッチ処理を実行して、各拠点の設計情報管理サーバに設計情報要求信号を送信する。バッチ処理は各拠点に対して順次同じ手順で実行されるため、以下ではＣ拠点に対する処理を例として説明する。
【００３４】
前提として、Ｃ拠点設計情報管理サーバ４１には、設計情報のうち、あらかじめ輸出規制の対象とならない項目が指定されている。
【００３５】
検索用情報管理サーバ１の設計情報取得部１１は、図５に示すように、前述のバッチ処理において、Ｃ拠点設計情報管理サーバ４１に設計情報要求信号を送信する（ステップＳ１０１）。
【００３６】
Ｃ拠点設計情報管理サーバ４１は、設計情報要求信号を受信すると、検索用情報管理サーバ１にインストールされた検索用ソフトウェアで形状検索の対象とすることができる検索用データを、３Ｄ−ＣＡＤデータおよび図面データに基づいて部品ごとに生成する。この検索用データは、検索用ソフトウェアでのみ読み込むことができる専用のデータとなっていて、形状を表示することのできないデータである。したがって、検索用データは、一般的に輸出規制の対象となる「貨物の設計、製造、使用に必要な特定の情報」には該当しない。
【００３７】
また、Ｃ拠点設計情報管理サーバ４１は、各部品の３Ｄ−ＣＡＤデータに基づいて各部品のサムネイル画像を生成する。さらに、図４（ｃ）に示したＣ拠点の設計情報マスタデータを参照して、輸出管理手続きが完了していない他の拠点がある場合には、図６に示すように、サムネイル画像にピクセル化、ぼかし等の画像処理を施して、画質の粗いサムネイル画像に変換する。変換されたサムネイル画像の画質は、部品の形状を特定することができず、輸出規制の対象とならない程度の粗さの画質とする。ただし、どのような種類の部品であるかを把握できる程度の画質とする。
【００３８】
そして、Ｃ拠点設計情報管理サーバ４１は、（ｉ）図４（ｃ）に示したＣ拠点の設計情報マスタデータのうち、あらかじめ輸出規制の対象とならないものとして指定された項目の情報と、（ｉｉ）生成した検索用データと、（ｉｉｉ）生成または変換されたサムネイル画像と、を含む検索用設計情報を検索用情報管理サーバ１に返却する（図５：ステップＳ１０２）。
【００３９】
以上のように、検索用情報管理サーバ１に各拠点から送信された検索用設計情報が送信される。設計情報取得部１１は、記憶部１２に送信された検索用設計情報を格納する。なお、図５のステップＳ１０１およびステップＳ１０２において、設計情報取得部１１は、特許請求の範囲に記載された設計情報取得手段の一例である。また、図５のステップＳ１０１およびステップＳ１０２は、特許請求の範囲に記載された設計情報取得ステップの一例である。また、記憶部１２は、特許請求の範囲に記載された記憶手段の一例である。
【００４０】
記憶部１２に格納される検索用設計情報には、図７に示すような検索用設計情報マスタデータと、検索用データと、サムネイル画像と、が含まれる。そして、検索用設計情報マスタデータには、各拠点の設計情報マスタデータに含まれる部品番号、部品名等の他に、設計情報が管理されている拠点を表す設計情報管理拠点、部品ごとの検索用データとの関連付けを表す検索用データファイル名等が含まれる。なお、検索用設計情報マスタデータにおける部品番号は、異なる拠点で採番された異なる部品の部品番号が同一になる可能性もあるため、検索用設計情報マスタデータのレコードを識別するための主キーは、設計情報管理拠点および部品番号の複合キーである。
【００４１】
次に、Ａ拠点に所属する担当者が検索用情報管理サーバ１の検索用設計情報を検索する例を示す。Ａ拠点操作端末２２は、検索条件を入力するための検索条件入力画面を表示する。検索条件入力画面は、図８に示すように、設計情報管理拠点の選択、キーワードの指定、スケッチの入力、３Ｄモデルのファイル指定等を受けるための画面である。スケッチの入力を受ける機能は、類似する部品を形状検索によって検索するためのスケッチを描画するための描画機能を含む。また、３Ｄモデルのファイル指定を受ける機能は、類似する部品を形状検索によって検索するための３Ｄモデルを取り込むための機能である。担当者が検索条件を入力して、「検索」ボタンを押下する操作をすると、Ａ拠点操作端末２２は、検索条件入力画面から入力された検索条件情報を検索要求信号とともに検索用情報管理サーバ１に送信する（図５：ステップＳ１０３）。
【００４２】
検索用情報管理サーバ１の検索条件情報取得部１３は、Ａ拠点操作端末２２から検索要求信号とともに検索条件情報を受信する。なお、図５のステップＳ１０３において、検索条件情報取得部１３は、特許請求の範囲に記載された検索条件情報取得手段の一例である。また、図５のステップＳ１０３は、特許請求の範囲に記載された検索条件情報取得ステップの一例である。
【００４３】
そして、検索条件情報取得部１３が検索要求信号とともに検索条件情報を受信すると、設計情報検索部１４は、図９に示す設計情報検索処理を開始する。
【００４４】
設計情報検索部１４は、設計情報検索処理を開始すると、取得した検索用条件情報が表す検索用条件を満たす検索用設計情報を、記憶部１２から検索する（ステップＳ１１）。具体的には、設計情報検索部１４は、指定されたキーワードによるキーワード検索と、入力されたスケッチおよび３Ｄモデルに類似する形状を検索する形状検索と、に基づいて検索用設計情報マスタデータおよび検索用データから、検索条件を満たす設計情報を検索する。そして、形状検索については、検索条件との一致度を、０％から１００％までの数値として算出する。
【００４５】
そして、設計情報検索部１４は、以降の処理に使用するための変数Ｎを定義し、初期値を１とする（ステップＳ１２）。
【００４６】
続いて、設計情報検索部１４は、Ｎ件目の検索結果があるか否かを判定する（ステップＳ１３）。設計情報検索部１４は、Ｎ件目の検索結果があると判定すると（ステップＳ１３：Ｙｅｓ）、さらにＮ件目の検索結果の設計情報は、Ａ拠点に対する輸出管理手続きが済んでいるか否かをさらに判定する（ステップＳ１４）。そして、設計情報検索部１４は、Ａ拠点に対する輸出管理手続きが済んでいると判定すると（ステップＳ１４：Ｙｅｓ）、３Ｄ−ＣＡＤデータへのリンクと図面データへのリンクとを、それぞれ”マスクなし”を表す引数を追加して生成する（ステップＳ１５）。３Ｄ−ＣＡＤデータへのリンクとは、Ａ拠点操作端末２２からＣ拠点設計情報管理サーバ４１にアクセスして、３Ｄ−ＣＡＤデータをＡ拠点操作端末２２に表示するためのリンクである。図面データへのリンクも同様に、Ａ拠点操作端末２２からＣ拠点設計情報管理サーバ４１にアクセスして、図面データをＡ拠点操作端末２２に表示するためのリンクである。また、”マスクなし”を表す引数とは、Ｃ拠点設計情報管理サーバ４１が３Ｄ−ＣＡＤデータまたは図面データの一部を隠すためのマスクをかけないことを指示するためにリンクに埋め込まれた指示情報である。
【００４７】
一方、設計情報検索部１４は、Ａ拠点に対する輸出管理手続きが済んでいないと判定すると（ステップＳ１４：Ｎｏ）、３Ｄ−ＣＡＤデータへのリンクと図面データへのリンクとを、それぞれ”マスクあり”を表す引数を追加して生成する（ステップＳ１６）。”マスクあり”を表す引数とは、Ｃ拠点設計情報管理サーバ４１が３Ｄ−ＣＡＤデータまたは図面データの一部にマスクをかけることを指示するためにリンクに埋め込まれる指示情報である。ここで、設計情報検索部１４は、対象の部品の一部の構成部品の輸出管理手続きが済んでいない場合には、その部品のみマスクをかけることを指示する引数も追加する。例えば、図４（ｃ）の「部品番号＝Ｊ１２３Ｙ０４」の部品は、その構成部品のうち、「部品番号＝Ｊ１２３Ｙ０１」および「部品番号＝Ｊ１２３Ｙ０２」の部品は輸出管理の手続き済であり、「部品番号＝Ｊ１２３Ｙ０３」の部品は輸出管理が未処理であるため、「部品番号＝Ｊ１２３Ｙ０３」の部品のみマスクをかけることを指示する引数を、それぞれのリンクに追加する。
【００４８】
続いて、設計情報検索部１４は、担当者が輸出管理手続きを行うためのワークフローシステムへのリンクを生成する（ステップＳ１７）。ワークフローシステムは、輸出管理手続きのための資料を作成し、設計情報を管理する各拠点に輸出管理手続きの申請を行うことができるシステムである。
【００４９】
ステップＳ１５およびステップＳ１７の処理に続いて、設計情報検索部１４は、変数Ｎに１を足し（ステップＳ１８）、ステップＳ１３に戻って次の検索結果の部品の処理を実行する。
【００５０】
設計情報検索部１４は、Ｎ件目の検索結果がないと判定すると（ステップＳ１３：Ｎｏ）、検索結果を表す検索結果情報を返却する（ステップＳ１９）。なお、検索結果が０件の場合も該当する設計情報が無いことを表す検索結果情報を返却する。具体的には、設計情報検索部１４は、検索結果一覧画面を表す画面情報を生成して、生成した画面情報を検索結果情報として返却する。
【００５１】
このようにして、検索用情報管理サーバ１の設計情報検索部１４は検索結果情報をＡ拠点操作端末２２に返却する（図５：ステップＳ１０４）。なお、図９に示す設計情報検索処理において、設計情報検索部１４は、特許請求の範囲に記載された設計情報検索手段の一例である。また、設計情報検索処理のステップＳ１１からステップＳ１９までのステップは、特許請求の範囲に記載された設計情報検索ステップの一例である。
【００５２】
Ａ拠点操作端末２２は、返却された検索結果情報に基づいて、検索結果一覧画面を表示する。検索結果一覧画面には、図１０に示すように、検索条件を満たす部品の一覧として、検索用設計情報マスタデータに含まれる情報と、サムネイル画像および検索条件との一致度が表示される。また、３Ｄ−ＣＡＤデータおよび図面のデータのファイル名は、それぞれのデータへのリンクになっている。これらのリンクには、部品を特定する部品番号と、”マスクあり”または”マスクなし”の引数が埋め込まれている。また、サムネイル画像は、前述の通り、すべての拠点に対する輸出管理手続きが完了している部品については、部品の形状を特定することができる良い画質となっていて、輸出管理手続きが済んでいない拠点がある場合には、部品の形状を特定することができず、輸出規制の対象とならない程度の粗さの画質となっている。また、各拠点の輸出管理手続きについて、「未処理」の文字がワークフローシステムへのリンクになっている。
【００５３】
図５に戻り、担当者が、３Ｄ−ＣＡＤデータのリンクをクリックする操作を実行すると、Ａ拠点操作端末２２は、３Ｄ−ＣＡＤデータの要求信号と部品を特定する部品番号情報と、”マスクあり”か”マスクなし”かのいずれかを表すマスク指定情報と、をＣ拠点設計情報管理サーバ４１に送信する（ステップＳ１０５）。なお、対象の部品が組み合わせの部品であって、”マスクあり”を表すマスク指定情報には、構成部品のうちの一部の部品番号のみをマスクすることを示す情報も含まれる。
【００５４】
Ｃ拠点設計情報管理サーバ４１は、Ａ拠点操作端末２２から受信した３Ｄ−ＣＡＤデータ要求信号、部品番号情報およびマスク指定情報に基づいて、３Ｄ−ＣＡＤデータにマスクをかけたデータを生成する。Ｃ拠点設計情報管理サーバ４１は、例えば、図４（ｃ）の「部品番号＝Ｊ１２３Ｙ０４」の部品の構成部品のうち、「部品番号＝Ｊ１２３Ｙ０３」の部品のみマスクをかけることを指示するマスク指定情報を受信した場合、図１１に示すように、「ペン先Ｃ」を含む矩形２０１で表される領域を画像処理によってマスクをかける。さらに、Ｃ拠点設計情報管理サーバ４１は、３Ｄビューで部品をどのように回転して表示されたとしても「ペン先Ｃ」を含む領域がマスクをかけられて形状を認識できない状態になるものとして、当該３Ｄ−ＣＡＤデータを生成する。
【００５５】
Ｃ拠点設計情報管理サーバ４１は、生成した３Ｄ−ＣＡＤデータをＡ拠点操作端末２２に返却する（図５：ステップＳ１０６）。
【００５６】
Ａ拠点操作端末２２は、あらかじめインストールされている閲覧用ソフトウェアを使用して、受信した３Ｄ−ＣＡＤデータを３Ｄビューで表示する。
【００５７】
同様に、担当者が、図面データのリンクをクリックする操作を実行すると、Ａ拠点操作端末２２は、図面データの要求信号と部品を特定する部品番号情報と、”マスクあり”か”マスクなし”かのいずれかを表すマスク指定情報と、をＣ拠点設計情報管理サーバ４１に送信する（ステップＳ１０７）。Ｃ拠点設計情報管理サーバ４１は、受信した情報に応じてマスクをかけた図面データを生成して、生成した図面データをＡ拠点操作端末２２に返却する（ステップＳ１０８）。Ａ拠点操作端末２２は、受信した図面データを表示する。
【００５８】
以上のようにして、本実施の形態に係る検索用情報管理サーバ１は、各拠点の３Ｄ−ＣＡＤデータおよび図面データをそのまま収集するのではなく、閲覧することはできない検索用データを収集することによって、輸出規制に抵触しない範囲で、それぞれの拠点からそれぞれの他の拠点を含めた設計情報に対して形状による検索をすることができる。
【００５９】
また、本実施の形態に係る検索用情報管理サーバ１は、輸出規制の対象とならない文字情報として予め選択されたキーワードを含む設計情報を収集することによって、輸出規制に抵触しない範囲で、それぞれの拠点からそれぞれの他の拠点を含めた設計情報に対してキーワードによる検索をすることができる。
【００６０】
さらに、本実施の形態に係る検索用情報管理サーバ１は、検索結果一覧画面から３Ｄ−ＣＡＤデータおよび図面データを閲覧するためのリンクを表示し、マスクをかけるか否かの指示情報を生成してリンクに埋め込む。これによって、検索結果一覧画面を見た担当者は、簡単な操作を行うだけで、輸出規制に抵触しない範囲で、検索結果に表示された部品の３Ｄ−ＣＡＤデータおよび図面データを閲覧することができる。
【００６１】
さらに、本実施の形態に係る検索用情報管理サーバ１は、輸出規制の対象となる部品については、検索結果一覧画面に画質の粗いサムネイル画像を表示する。これによって、検索結果一覧画面を見た担当者は、輸出規制に抵触しない範囲で、検索結果の部品がどのような種類の部品であるかを把握することができる。
【００６２】
そして、本実施の形態に係る検索用情報管理サーバ１は、検索結果一覧画面に輸出管理の手続きが完了しているか否かの情報を表示し、輸出管理手続きのためのワークフローシステムへのリンクを表示する。これによって、検索結果一覧画面を見た担当者は、簡単な操作で輸出管理手続きを開始することができる。
【００６３】
本実施の形態に係る検索用情報管理サーバ１によれば、輸出規制の対象となる複数の拠点における設計情報の共有化が促進される。これによって、国、地域等を跨がった共同開発、モジュール設計、流用設計等が可能となり、さらに、製品の販売国、販売地域等における開発、すなわち開発の現地化が実現され得る。
【００６４】
（変形例）
本発明は、上述した実施の形態に限定されるわけではなく、その他の種々の変更が可能である。
【００６５】
上述した実施の形態では、検索用情報管理サーバ１が、対象の各拠点とは異なる場所に設置されている例を示したが、検索用情報管理サーバ１に収集される情報は、輸出規制の対象にならない情報であるため、検索用情報管理サーバ１が対象の各拠点のいずれかに設置されていても良く、検索用情報管理サーバ１の設置場所は限定されない。
【００６６】
上述した実施の形態では、設計対象の物品が製品の部品である例を示したが、形状を持つ物品であればどのような物品であっても良い。また、構成部品を含む部品についても、構成物品としてどのような物品を含む物品であっても良い。また、形状を表すデータとして、３Ｄ−ＣＡＤデータと図面データとを示したが、設計対象の物品の形状を表すデータであれば、物品を撮影した静止画、動画等、どのようなデータであっても良く、データの種類も２種類である必要はなく、いずれか１種類のデータであっても、３種類以上のデータであっても良い。
【００６７】
上述した検索用データは、検索用情報管理サーバ１にインストールされた検索用ソフトウェア専用のデータ形式である例を示したが、検索用ソフトウェア専用である必要はなく、形状を表示することができるデータ形式でなく、形状検索が可能なデータ形式であれば、どのようなデータ形式であっても良い。
【００６８】
上述した実施の形態に係る検索用情報管理サーバ１並びに各拠点の設計情報管理サーバおよび操作端末は、専用の装置によらず、通常のコンピュータを用いても実現可能である。例えば、コンピュータに上述のいずれかを実行するためのプログラムを格納した記録媒体から該プログラムをコンピュータにインストールすることにより、上述の処理を実行する検索用情報管理サーバ１並びに各拠点の設計情報管理サーバおよび操作端末を構成してもよい。また、複数のサーバ、コンピュータ等が協働して動作するか、または専用の装置とサーバ、コンピュータ等が協働して動作することによって、検索用情報管理サーバ１並びに各拠点の設計情報管理サーバおよび操作端末を構成してもよい。
【００６９】
また、コンピュータにプログラムを供給するための手法は、任意である。例えば、通信回線、通信ネットワーク、通信システム等を介して供給してもよい。
【００７０】
また、上述の機能の一部をＯＳ（Operating System）が提供する場合には、ＯＳが提供する機能以外の部分をプログラムで提供すればよい。
【００７１】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【００７２】
１  検索用情報管理サーバ、２  Ａ拠点、３  Ｂ拠点、４  Ｃ拠点、１１  設計情報取得部、１２  記憶部、１３  検索条件情報取得部、１４  設計情報検索部、２１  Ａ拠点設計情報管理サーバ、２２  Ａ拠点操作端末、３１  Ｂ拠点設計情報管理サーバ、３２  Ｂ拠点操作端末、４１  Ｃ拠点設計情報管理サーバ、４２  Ｃ拠点操作端末、１０１  ＣＰＵ、１０２  ＲＡＭ、１０３  ＲＯＭ、１０４  ハードディスクドライブ、１０５  ネットワークカード、２０１  矩形。
【図１】
2020091594.tif 000003
【図２】
2020091594.tif 000004
【図３】
2020091594.tif 000005
【図４】
2020091594.tif 000006
【図５】
2020091594.tif 000007
【図６】
2020091594.tif 000008
【図７】
2020091594.tif 000009
【図８】
2020091594.tif 000010
【図９】
2020091594.tif 000011
【図１０】
2020091594.tif 000012
【図１１】
2020091594.tif 000013